(57)【要約】      （修正有）【課題】占有スペースの小さい室内機を提供する。【解決手段】室内機３０は、ケーシング３１０と、室内ファン３２と、室内熱交換器３１と、フィルタと、ローラ３２３と、塵埃除去部材３２４と、を有する。ここで、ケーシング３１０は、吸込口３１２と吹出口３１１を有する。室内ファン３２は、吸込口３１２から吹出口３１１へ至る風路を形成する。室内熱交換器３１は、前記風路内に設置される。フィルタは、吸込口３１２と室内熱交換器３１との間に設けられる。ローラ３２３は、フィルタを正回転により巻き付けるとともに、逆回転により繰り出す。塵埃除去部材３２４は、フィルタに接触し、ローラ３２３の駆動に伴い、フィルタに付着した塵埃を除去する。【選択図】図３
2017223414.tif 000002
【特許請求の範囲】
【請求項１】
吸込口（３１２）と吹出口（３１１）を有するケーシング（３１０）と、
前記吸込口から前記吹出口へ至る風路を形成する送風ファン（３２）と、
前記風路内に設置される熱交換器（３１）と、
前記吸込口と前記熱交換器との間に設けられるフィルタ（３２２）と、
前記フィルタを正回転により巻き付けるとともに、逆回転により繰り出すローラ（３２３）と、
前記フィルタに接触し、前記ローラの駆動に伴い前記フィルタに付着した塵埃を除去する塵埃除去部材（３２４）と、
を備えた、空気調和機（１０）の室内機（３０）。
【請求項２】
前記フィルタは、天面側の天面フィルタ部（３２２ａ）と正面側の正面フィルタ部（３２２ｂ）とを有し、
前記ローラは、前記天面フィルタ部と前記正面フィルタ部とを正回転により巻き付けるとともに、逆回転により繰り出す、
請求項１に記載の室内機。
【請求項３】
前記ローラは、単一の回転部材により構成されており、前記正面フィルタ部及び前記天面フィルタ部を正回転により同時に巻き付けるとともに、逆回転により同時に繰り出す、
請求項２に記載の室内機。
【請求項４】
前記フィルタは、単一のフィルタ部材により構成されており、
前記ローラは、前記フィルタを所定位置で挟み込んで固定し、前記正面フィルタ部及び前記天面フィルタ部を正回転により同時に巻き付けるとともに、逆回転により同時に繰り出す、
請求項３に記載の室内機。
【請求項５】
前記塵埃除去部材は、ブラシ（３２４ａ）を有する単一の回転部材（３２４ｂ）により構成される、
請求項２から４のいずれか１項に記載の室内機。
【請求項６】
前記天面フィルタ部及び前記正面フィルタ部は、前記塵埃除去部材の異なる位置（Ｐ１，Ｐ２）にそれぞれ接しており、
前記塵埃除去部材は、前記ローラが正回転するときに、前記正面フィルタ部に付着した塵埃を除去し、前記ローラが逆回転するときに、前記天面フィルタ部に付着した塵埃を除去する、
請求項５に記載の室内機。
【請求項７】
前記塵埃除去部材により除去された塵埃を収納する塵埃収納部（３２５）をさらに備え、
前記ローラ、前記塵埃除去部材及び前記塵埃収納部は前記天面及び前記正面の接点近傍に配置される、
請求項２から６のいずれか１項に記載の室内機。
【発明の詳細な説明】
【技術分野】
【０００１】
本発明は、空気調和機の室内機に関する。
【背景技術】
【０００２】
一般的に、空気調和機の室内機は、吸込口から吸い込まれる空気内の塵埃を捕集するフィルタを有する。これにより、室内機本体に吸い込まれた室内空気がフィルタ処理（濾過）され、清浄空気による調和空気が排出される。フィルタに関し、種々の機構及び形態を有する室内機が検討されている。例えば、特許文献１（特開２００１−９９４７９号公報）には、モータで繰出し／巻取られる帯状のフィルタとフィルタの除塵部材とを有するフィルタ装置を備えた空気調和機が開示されている。
【発明の概要】
【発明が解決しようとする課題】
【０００３】
ところで、室内機は室内に設置されることから、一般的に占有スペースの小さいものが望まれる。一方で、占有スペースの小さい空気調和機を設計しようとすると、各種制御のための制御機構が複雑化し、設計上の困難性がもたらされる。また、制御機構の複雑化に伴い、デザイン上の制約も増加する。
【０００４】
本発明の課題は、占有スペースの小さい室内機を提供することである。
【課題を解決するための手段】
【０００５】
本発明の第１観点に係る空気調和機の室内機は、ケーシングと、送風ファンと、熱交換器と、フィルタと、ローラと、塵埃除去部材と、を有する。ここで、ケーシングは、吸込口及び吹出口を有する。送風ファンは、吸込口から吹出口へ至る前記風路を形成する。熱交換器は、風路内に設置される。フィルタは、吸込口と熱交換器との間に設けられる。ローラは、フィルタを正回転により巻き付けるとともに、逆回転により繰り出す。塵埃除去部材は、フィルタに接触し、ローラの駆動に伴い、フィルタに付着した塵埃を除去する。
【０００６】
第１観点に係る室内機では、フィルタを正回転により巻き付けるとともに、逆回転により繰り出すローラを用いるので、フィルタに付着した塵埃を除去する際のフィルタの移動に要する空間を小さくすることができる。これにより、占有スペースの小さい室内機を提供できる。
【０００７】
本発明の第２観点に係る室内機は、第１観点に係る室内機において、フィルタが、天面側の天面フィルタ部と正面側の正面フィルタ部とを有する。また、ローラが、天面フィルタ部と正面フィルタ部とを正回転により巻き付けるとともに、逆回転により繰り出す。
【０００８】
第２観点に係る室内機では、天面側及び正面側にフィルタを要するタイプの室内機において、占有スペースの小さいものを提供できる。
【０００９】
本発明の第３観点に係る室内機は、第２観点に係る室内機において、ローラが、単一の回転部材により構成されている。また、ローラは、正面フィルタ部及び天面フィルタ部を正回転により同時に巻き付けるとともに、逆回転により同時に繰り出す。
【００１０】
第３観点に係る室内機では、単一の回転部材によりローラを構成して、天面フィルタ部及び正面フィルタ部を同時に巻きつけて繰り出すので、装置の構造を簡易化できる。結果として、さらに占有スペースの小さい室内機を提供できる。
【００１１】
本発明の第４観点に係る室内機は、第３観点に係る室内機において、フィルタが、単一のフィルタ部材により構成されている。また、ローラが、フィルタを所定位置で挟み込んで固定する。そして、ローラが、正面フィルタ部及び天面フィルタ部を正回転により同時に巻き付けるとともに、逆回転により同時に繰り出す。
【００１２】
第４観点に係る室内機では、単一のフィルタ部材によりフィルタを構成して、天面フィルタ部及び正面フィルタ部を同時に巻きつけて繰り出すので、装置の構造を簡易化できる。結果として、さらに占有スペースの小さい室内機を提供できる。
【００１３】
本発明の第５観点に係る室内機は、第２観点から第４観点のいずれか室内機において、塵埃除去部材が、ブラシを有する単一の回転部材により構成される。
【００１４】
第５観点に係る室内機では、単一の回転部材により塵埃除去部材を構成して、天面フィルタ部及び正面フィルタ部の塵埃を除去するので、装置の構造を簡易化できる。結果として、さらに占有スペースの小さい室内機を提供できる。
【００１５】
本発明の第６観点に係る室内機は、第５観点に係る室内機において、天面フィルタ部及び正面フィルタ部が、塵埃除去部材の異なる位置にそれぞれ接している。また、塵埃除去部材は、ローラが正回転するときに、正面フィルタ部に付着した塵埃を除去し、ローラが逆回転するときに、天面フィルタ部に付着した塵埃を除去する。
【００１６】
第６観点に係る室内機では、塵埃除去部材の異なる位置において、天面フィルタ部及び正面フィルタ部の塵埃を同時に除去できる。これにより、装置の構造をさらに簡易化できる。結果として、さらに占有スペースの小さい室内機を提供できる。
【００１７】
本発明の第７観点に係る室内機は、第２観点から第６観点のいずれかの室内機において、塵埃除去部材により除去された塵埃を収納する塵埃収納部をさらに備える。そして、ローラ、塵埃除去部材及び塵埃収納部が、室内機本体の天面及び正面の接点近傍に配置される、
第７観点に係る室内機では、室内機内部のデッドスペースに塵埃除去ユニットが配置されるので、さらに占有スペースの小さい室内機を提供できる。
【発明の効果】
【００１８】
第１観点に係る室内機は、占有スペースの小さい室内機を提供できる。
【００１９】
第２観点に係る室内機では、天面側及び正面側にフィルタを要するタイプの室内機において、占有スペースの小さいものを提供できる。
【００２０】
第３観点〜第６観点に係る室内機では、装置の構造を簡易化することで、さらに占有スペースの小さい室内機を提供できる。
【００２１】
第７観点に係る室内機では、デッドスペースに各部材を配置することで、さらに占有スペースの小さい室内機を提供できる。
【図面の簡単な説明】
【００２２】
【図１】本発明の一実施形態に係る空気調和機１０の冷媒回路を説明するための模式図である。
【図２】同実施形態に係る空気調和機１０の構成を説明するための模式図である。
【図３】同実施形態に係る室内機３０の断面構成の一部を模式的に示した図である。
【図４】同実施形態に係る塵埃除去ユニット３２０の構成を示す模式図である。
【図５】同実施形態に係る塵埃除去ユニット３２０の動作を説明するためのフローチャートである。
【図６】同実施形態に係るローラ３２３が「正回転」するときの状態を示す模式図である。
【図７】同実施形態に係るローラ３２３が「逆回転」するときの状態を示す模式図である。
【発明を実施するための形態】
【００２３】
以下、図面を参照しながら本発明の一実施形態に係る空気調和機について説明する。なお、以下の実施形態は、本発明の具体例であって、本発明の技術的範囲を限定するものではない。
【００２４】
（１）空気調和機の構成
図１は本発明の一実施形態に係る空気調和機１０の冷媒回路を説明するための模式図である。
【００２５】
空気調和機１０は、主に、圧縮機２１と、四路切換弁２２と、室外熱交換器２４と、電動膨張弁２５と、室内熱交換器３１と、制御部４０とを備え、これらの構成要素により冷媒回路を構成する。具体的には、空気調和機１０は、室外に設置される室外機２０と、室内の壁面等に取り付けられる室内機３０とに区分される。そして、上述した各構成要素が室外機２０又は室内機３０に設けられることで、室内の冷房運転及び暖房運転等の各種運転が実行される。
【００２６】
室外機２０は、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動膨張弁２５とを有する。電動膨張弁２５は、フィルタ及び液閉鎖弁２６を介して配管１１に接続されており、この配管１１を介して室内熱交換器３１の一端に接続される。四路切換弁２２は、ガス閉鎖弁２７を介して配管１１に接続され、この配管１１を介して室内熱交換器３１の他端に接続される。また、室外機２０は、室外熱交換器２４での熱交換後の空気を外部に排出するための室外ファン２８を有する。この室外ファン２８は、室外ファンモータ２９によって回転駆動される。
【００２７】
室内機３０には、室内熱交換器３１、室内ファン３２、及び室内ファンモータ３３等が設けられる。室内熱交換器３１は、接触する空気との間で熱交換を行う。室内ファン３２は、室内空気を吸い込んで室内熱交換器３１に通し、熱交換後の空気を室内に排出する。室内ファン３２は、室内ファンモータ３３によって回転駆動される。室内機３０の詳細な構成等については後述する。
【００２８】
制御部４０は、図２に示すように、リモートコントローラ５０等を介して外部からの要求を受け取り、室外機２０及び室内機３０を制御する。具体的には、制御部４０は、外部からの要求に応じて、室内機３０の運転モード、風向、風量、及び温度等を制御する。なお、制御部４０は、制御基盤に実装されたマイクロプロセッサ及びその周辺回路により構成される。また、制御部４０は、室外機２０又は室内機３０の両方に分散して設けられ、全体として空気調和機１０の動作を制御する。
【００２９】
（２）室内機の構成
図３は室内機３０の断面構成の一部を模式的に示した図である。なお、図３においては、本実施形態に係る発明の特徴部分のみを図示しており、その他の要素等については図示を省略している。また、図３の紙面上、右・左・上・下の方向を、それぞれ正面・背面・天面・底面の方向とする。この点は図４，５，７においても同様である。
【００３０】
室内機３０は、上述したように、室内熱交換器３１及び室内ファン３２（送風ファン）等を有する。これらの部品は、室内機ケーシング３１０に収納される。室内機３０では、室内ファン３２の駆動により調和空気Ａが室内機ケーシング３１０から排出される。
【００３１】
（２−１）室内機ケーシング
室内機ケーシング３１０は、室内機３０本体のフレームを形成するものである。室内機ケーシング３１０の内部には、各種部品及び駆動機構等が固定して配置される。また、室内機ケーシング３１０の各面には、外壁パネルを取り付けることが可能であり、外壁パネルの交換等により室内機３０の外観を変更できる。
【００３２】
室内機ケーシング３１０の一部は開放しており、吹出口３１１及び吸込口３１２が形成される。吹出口３１１は、調和空気Ａが吹き出される開口である。吸込口３１２は、周辺の室内空気を吸い込む開口である。ここでは、吸込口３１２が、室内機ケーシング３１０の天面側及び正面側に形成される。そして、室内ファン３２により、吸込口３１２から吹出口３１１へ至る風路が形成される。室内熱交換器３１は、この風路内に設置される。したがって、吸込口３１２から吸い込まれた室内空気は、室内熱交換器３１を経由して調和空気Ａとなる。そして、調和空気Ａは、スクロール３４の壁面に沿って吹出口３１１の端部まで誘導され、吹出口３１１から吹き出される。なお、スクロール３４は、湾曲した壁面を形成する部材であり、室内ファン３２に対峙して配置される。調和空気Ａは、スクロール３４の壁面に沿って進み、スクロール３４の終端の接線方向に沿って排出される。
【００３３】
また、室内機ケーシング３１０の内部には、水平羽根３１３及び垂直羽根３１４が設けられる。風向制御の際には、これらの水平羽根３１３及び垂直羽根３１４の位置が制御機構により適宜調整される。
【００３４】
また、室内機ケーシング３１０には、吸込口３１２から吸い込まれる空気中に含まれる塵埃を除去する塵埃除去ユニット３２０が格納される。
【００３５】
（２−２）塵埃除去ユニット
図４は本実施形態に係る塵埃除去ユニット３２０の構成を示す模式図である。
【００３６】
塵埃除去ユニット３２０は、塵埃除去ユニットケーシング３２１と、フィルタ３２２と、ローラ３２３と、塵埃除去部材３２４と、塵埃収納部３２５とを備える。
【００３７】
（２−２−１）塵埃除去ユニットケーシング
塵埃除去ユニットケーシング３２１は、塵埃除去ユニット３２０本体のフレームを形成するものである。塵埃除去ユニットケーシング３２１は、室内機３０の内部の所定位置に着脱可能に固定される。塵埃除去ユニットケーシング３２１の内部には、ローラ３２３、塵埃除去部材３２４及びこれらの駆動機構等（図示せず）が取り付けられる。
【００３８】
（２−２−２）フィルタ
フィルタ３２２は、吸込口３１２と室内熱交換器３１との間に設けられ、吸込口３１２から吸い込んだ空気に含まれる塵埃を捕集するものである。ここでは、フィルタ３２２は、室内機ケーシング３１０内に湾曲して収納され、天面側の天面フィルタ部３２２ａと正面側の正面フィルタ部３２２ｂとを有する。詳しくは、フィルタ３２２はローラ３２３に挟まれてローラ３２３と一体化しており、ローラ３２３から天面側に向かう部分が天面フィルタ部３２２ａとなり、ローラ３２３から正面側に向かう部分が正面フィルタ部３２２ｂとなる。これらの天面フィルタ部３２２ａ及び正面フィルタ部３２２ｂは、後述する塵埃除去部材３２４に対して、それぞれ異なる位置の第１接触点Ｐ１及び第２接触点Ｐ２で接触する。
【００３９】
また、フィルタ３２２は、ＰＥＴ樹脂等により構成される、単一のフィルタ部材である。このフィルタ３２２は、所定の柔軟性を有するように製造される。具体的には、フィルタ３２２は、曲げ応力に対して耐性を有しており、所定の力が加わるまでは折れない性質を有する。この性質により、フィルタ３２２は、ローラ３２３により巻き取られて繰り出されても折られずに元の形態に戻る。一方、フィルタ３２２は、所定の剛性を有しており、所定の力が加わるまでは曲がらない性質を有する。この性質により、フィルタ３２２は、ローラ３２３により繰り出されたときに、前方の物体に軽く接触したとしても、曲がらずに押し出されることになる。
【００４０】
（２−２−３）ローラ
ローラ３２３は、フィルタ３２２を「正回転」により巻き付けるとともに、「逆回転」により繰り出すものである。ここでは、ローラ３２３は、単一の回転部材により構成され、塵埃除去ユニットケーシング３２１の内部に取り付けられる。なお、ローラ３２３は、制御部４０に制御されるモータ等の駆動機構（図示せず）により回転させられる。
【００４１】
また、ローラ３２３は、フィルタ３２２を所定位置で挟み込んで固定する。ここでは、室内熱交換器３１の前方にフィルタ３２２が配置される状態において、室内機３０の正面から、正面フィルタ部３２２ｂ、ローラ３２３、天面フィルタ部３２２ａの順となるような形態が採られる。このような形態により、天面フィルタ部３２２ａ及び正面フィルタ部３２２ｂが、ローラ３２３の正回転により同時に巻き付けられ、ローラ３２３の逆回転により同時に繰り出される。
【００４２】
なお、本実施形態において、フィルタを巻き付ける回転方向の回転を「正回転」と定義し、その反対方向、すなわちフィルタ３２２を繰り出す回転方向の回転を「逆回転」と定義する。
【００４３】
（２−２−４）塵埃除去部材
塵埃除去部材３２４は、フィルタ３２２に接触し、ローラ３２３の駆動に伴いフィルタ３２２に付着した塵埃を除去するものである。具体的には、塵埃除去部材３２４は、ブラシ３２４ａを有する単一の回転部材３２４ｂにより構成され、ローラ３２３に近接して塵埃除去ユニットケーシング３２１の内部に取り付けられる。なお、ブラシ３２４ａは、円筒状の回転部材３２４ｂの表面上に設けられる。
【００４４】
ここで、塵埃除去部材３２４は、室内機３０の内部でローラ３２３よりも背面側に位置するように構成される。このような配置により、天面フィルタ部３２２ａをスムーズに上斜め後方に繰り出すことができる。また、塵埃除去部材３２４は、制御部４０に制御されるモータ等の駆動機構により回転させられる。また、塵埃除去部材３２４により除去された塵埃は塵埃収納部３２５に蓄積される。塵埃除去部材３２４による塵埃の除去については後述する。
【００４５】
（２−２−５）塵埃収納部
塵埃収納部３２５は、塵埃除去部材３２４によりフィルタ３２２から掃き出された塵埃を蓄積するものである。ここでは、ローラ３２３より正面側の、塵埃除去ユニットケーシング３２１内部の一部の空間Ｓ１が塵埃収納部３２５として機能する。ただし、これに限らず、塵埃収納部３２５は、塵埃除去部材３２４が除去した塵埃を塵埃除去ユニット３２０以外の空間に拡散させないものであれば、任意の形態を採用できる。したがって、塵埃収納部３２５は、塵埃除去ユニット３２０の筐体の内外に取り付けられた収納部材で構成することもできる。
【００４６】
（３）塵埃除去ユニットの動作
次に、図５〜７を用いて本実施形態に係る塵埃除去ユニット３２０の動作を説明する。
【００４７】
前提として、通常の状態では、空気調和機１０は、室内機ケーシング３１０の吸込口３１２と室内熱交換器３１との間にフィルタ３２２が配置された状態を採る。なお、通常の状態とは、空気調和機１０が、冷房運転、暖房運転、及び加湿運転など室内の空調環境に変化を生じさせている状態、又は停止状態を意味する。
【００４８】
このような通常の状態において、空気調和機１０が「塵埃除去要求」を受け取ると、制御部４０が塵埃除去ユニット３２０を起動し、塵埃除去運転を開始する（Ｓ１）。塵埃除去要求は、例えば、リモートコントローラ５０を介してユーザから随時受け付けられる。なお、塵埃除去運転が開始されると、冷房運転、暖房運転、加湿運転、及びその他の運転が停止される。
【００４９】
続いて、制御部４０は、ローラ３２３を「正回転」させる（Ｓ２）。ここでは、制御部４０は、図６に示す矢印Ｒ１の向きにローラ３２３を回転させる。フィルタ３２２はローラ３２３に挟まれて固定されているので、ローラ３２３が回転することで、フィルタ３２２がローラ３２３本体に巻き付けられる。また、制御部４０は、塵埃除去部材３２４の回転部材３２４ｂを、図６の矢印Ｒ２で示すように、ローラ３２３と同一方向に回転させる。これにより、正面フィルタ部３２２ｂとブラシ３２４ａの第１接触点Ｐ１において、両者の表面方向に互いに逆向きの力が働くことになる。換言すると、第１接触点Ｐ１において、正面フィルタ部３２２ｂは、表面方向に沿ってブラシ３２４ａにより強い力で擦られる。これにより、正面フィルタ部３２２ｂ上の塵埃Ｄがブラシ３２４ａにより掃き出されることになる。掃き出された塵埃Ｄは、塵埃除去ユニット３２０の筐体に形成された塵埃収納部３２５に蓄積される。
【００５０】
一方、ローラ３２３が「正回転」するときは、ローラ３２３に固定された天面フィルタ部３２２ａがローラ３２３の方向に移動する。したがって、図６に示すように、天面フィルタ部３２２ａとブラシ３２４ａの第２接触点Ｐ２において、両者の表面には同じ向きの力が働くことになる。換言すると、第２接触点Ｐ２において、天面フィルタ部３２２ａは、表面方向に沿ってブラシ３２４ａにより弱い力で擦られる。そのため、天面フィルタ部３２２ａに付着した塵埃Ｄが十分に掃き出されていない状態となっている。
【００５１】
次に、制御部４０は、正回転が終了すると、ローラ３２３を「逆回転」させる（Ｓ３）。ここでは、制御部４０は、図７に示す矢印Ｒ３の向きにローラ３２３を回転させる。一方、制御部４０は、ローラ３２３が逆回転しても、図７の矢印Ｒ２で示すように、塵埃除去部材３２４の回転方向を変えずに一定のままで回転させる。要するに、図７に示すように、塵埃除去部材３２４は、ローラ３２３とは逆方向に回転する。この場合、第２接触点Ｐ２において、天面フィルタ部３２２ａとブラシ３２４ａとには、表面方向に沿って互いに逆向きの力が働くことになる。換言すると、第２接触点Ｐ２において、天面フィルタ部３２２ａは、表面方向に沿ってブラシ３２４ａにより強い力で擦られることになる。これにより、天面フィルタ部３２２ａ上の塵埃Ｄがブラシ３２４ａにより掃き出される。そして、掃き出された塵埃Ｄは、天面フィルタ部３２２ａ、ローラ３２３、及び塵埃除去部材３２４により形成される空間Ｓ２に一旦掃き出される。空間Ｓ２に掃き出された塵埃Ｄは、ローラ３２３及び塵埃除去部材３２４から回転力を受けて運ばれ、第１接触点Ｐ１を経由して塵埃収納部３２５に放出される。放出された塵埃Ｄは、そのまま塵埃収納部３２５に蓄積される。
【００５２】
なお、第１接触点Ｐ１においては、正面フィルタ部３２２ｂは表面方向に沿ってブラシ３２４ａにより弱い力で擦られるが、天面フィルタ部３２２ａから一旦掃き出された塵埃Ｄは、正面フィルタ部３２２ｂとの密着が弱くなっているので、正面フィルタ部３２２ｂと再度付着することなく、塵埃収納部３２５に放出される。
【００５３】
この後、制御部４０は、天面フィルタ部３２２ａ及び正面フィルタ部３２２ｂが元の位置に戻ると、ローラ３２３の逆回転を停止して塵埃除去運転を終了する。
【００５４】
（４）特徴
（４−１）
以上説明したように、本実施形態に係る空気調和機１０の室内機３０は、ローラ３２３が、フィルタ３２２を正回転により巻き付けるとともに、逆回転により繰り出す。また、塵埃除去部材３２４が、フィルタ３２２に接触し、ローラ３２３の駆動に伴い、フィルタ３２２に付着した塵埃Ｄを除去する。そして、除去した塵埃Ｄを塵埃収納部３２５に蓄積する。
【００５５】
このように、本実施形態に係る室内機３０では、フィルタ３２２を正回転により巻き付けるとともに、逆回転により繰り出すローラ３２３を用いるので、フィルタ３２２に付着した塵埃Ｄを除去する際のフィルタ３２２の移動に要する空間を小さくすることができる。これにより、室内機ケーシング３１０の内部空間を小さくでき、結果として、占有スペースの小さい室内機３０を提供できる。
【００５６】
（４−２）
また、本実施形態に係る室内機３０は、ローラ３２３が、天面フィルタ部３２２ａと正面フィルタ部３２２ｂとを正回転により巻き付けるとともに、逆回転により繰り出す。すなわち、天面側及び正面側にフィルタ３２２を要するタイプの室内機において、占有スペースの小さい室内機３０を提供できる。
【００５７】
（４−３）
また、本実施形態に係る室内機３０は、ローラ３２３が、単一の回転部材により構成されている。また、ローラ３２３は、天面フィルタ部３２２ａ及び正面フィルタ部３２２ｂを正回転により同時に巻き付けるとともに、逆回転により同時に繰り出す。このように装置の構造を簡易化することで、さらに占有スペースの小さい室内機を提供できる。
【００５８】
（４−４）
また、本実施形態に係る室内機３０は、フィルタ３２２が、単一のフィルタ部材により構成されている。また、ローラ３２３が、フィルタ３２２を所定位置で挟み込んで固定する。そして、ローラ３２３が、天面フィルタ部３２２ａ及び正面フィルタ部３２２ｂを正回転により同時に巻き付けるとともに、逆回転により同時に繰り出す。このように装置の構造を簡易化することで、さらに占有スペースの小さい室内機を提供できる。
【００５９】
（４−５）
また、本実施形態に係る室内機３０は、塵埃除去部材３２４が、ブラシ３２４ａを有する単一の回転部材３２４ｂにより構成される。このように装置の構造を簡易化することで、さらに占有スペースの小さい室内機を提供できる。
【００６０】
（４−６）
また、本実施形態に係る室内機３０は、天面フィルタ部３２２ａ及び正面フィルタ部３２２ｂが、塵埃除去部材３２４に対して、それぞれ異なる位置である第１接触点Ｐ１及び第２接触点Ｐ２で接する。そして、塵埃除去部材３２４は、ローラ３２３が正回転するときに、正面フィルタ部３２２ｂに付着した塵埃を除去し、ローラ３２３が逆回転するときに、天面フィルタ部３２２ａに付着した塵埃を除去する。したがって、本実施形態に係る室内機３０では、天面フィルタ部３２２ａ及び正面フィルタ部３２２ｂの塵埃を同時に除去できる。これにより、装置の構造をさらに簡易化することができる。結果として、さらに占有スペースの小さい室内機３０を提供できる。
【００６１】
（４−７）
また、本実施形態に係る室内機３０は、塵埃除去部材３２４により除去された塵埃を収納する塵埃収納部３２５を備えている。そして、ローラ３２３、塵埃除去部材３２４及び塵埃収納部３２５が、室内機３０本体の天面及び正面の接点近傍に配置される。
【００６２】
ここで、室内機ケーシング３１０の内部においては、室内熱交換器３１の正面側の上方空間がデッドスペースになることが多い。これに対し、上記構成では、ローラ３２３、塵埃除去部材３２４及び塵埃収納部３２５が天面及び正面の接点近傍に配置されるので、デッドスペースを有効に利用できる。結果として、さらに占有スペースの小さい室内機を提供できる。
【００６３】
（５）変形例
（５−１）変形例Ａ
上記実施形態においては、室内機ケーシング３１０の天面側及び正面側に吸込口３１２が形成されるとしたが、吸込口３１２は天面側のみに形成される形態であってもよい。この形態でも、天面側から吸い込まれた室内空気は、天面フィルタ部３１２ａ及び正面フィルタ部３１２ｂを経由して室内熱交換器３１と熱交換することになる。
【００６４】
（５−２）変形例Ｂ
上記実施形態においては、「塵埃除去要求」が、リモートコントローラ５０を介してユーザから随時受け付けられるとしたが、塵埃除去要求の実行は、これに限られるものでない。例えば、前回の塵埃除去の実行時からの経過時間や、空調運転の経過時間等に応じて制御部４０により自動的に塵埃除去要求が実行されてもよい。
【００６５】
（５−３）変形例Ｃ
上記実施形態においては、フィルタ３２２が単一のフィルタ部材で構成されており、ローラ３２３が単一の回転部材で構成されていたが、フィルタ３２２及びローラ３２３の形態はこれに限られるものではない。すなわち、本発明は、ローラ３２３の正回転によりフィルタ３２２が巻き付けられ、逆回転により繰り出される任意の形態を採り得るものである。この形態を満たす構成であれば、フィルタ３２２は、複数のフィルタ部材で構成されてもよいし、ローラ３２３は複数の回転部材で構成されてもよい。
【００６６】
例えば、別部材で構成された天面フィルタ部３２２ａ及び正面フィルタ部３２２ｂが、２つのローラ３２３ａ，３２３ｂに個別に取り付けられるような形態であってもよい。この形態であれば、天面フィルタ部３２２ａ及び正面フィルタ部３２２ｂの巻き取り及び繰り出しのタイミングを変えることが可能となる。なお、この形態では、２つのローラ３２３ａ、３２３ｂのそれぞれに塵埃除去部材３２４が異なる場所で接触する構成が好ましい。
【００６７】
（５−４）変形例Ｄ
上記実施形態においては、塵埃除去部材３２４が単一の回転部材で構成されていたが、複数の回転部材を用いてもよい。塵埃除去部材３２４とフィルタ３２２の接触点を増やすことで塵埃除去の効率を高めることが可能となる。
【００６８】
（５−５）変形例Ｅ
上記実施形態においては、塵埃除去ユニットケーシング３２１内部の一部の空間Ｓ１を塵埃収納部３２５として機能させていたが、塵埃収納部３２５は、このような形態に限るものではない。例えば、塵埃収納部３２５を塵埃除去ユニットケーシング３２１に着脱可能な収納部材で構成することで、蓄積された塵埃を容易に排出する構成とすることもできる。
【００６９】
＜付記＞
なお、本発明は、上記実施形態そのままに限定されるものではない。本発明は、実施段階ではその要旨を逸脱しない範囲で構成要素を変形して具体化できる。また、本発明は、上記実施形態に開示されている複数の構成要素の適宜な組み合わせにより種々の発明を形成できるものである。例えば、実施形態に示される全構成要素から幾つかの構成要素は削除してもよいものである。さらに、異なる実施形態に構成要素を適宜組み合わせてもよいものである。
【符号の説明】
【００７０】
１０      空気調和機
３０      室内機
３１      室内熱交換器
３２      室内ファン（送風ファン）
３１０    ケーシング
３１１    吹出口
３１２    吸込口
３２０    塵埃除去ユニット
３２１    塵埃除去ユニットケーシング
３２２    フィルタ
３２２ａ  天面フィルタ部
３２２ｂ  正面フィルタ部
３２３    ローラ
３２４    塵埃除去部材
３２４ａ  ブラシ
３２４ｂ  回転部材
３２５    塵埃収納部
Ｐ１      第１接触点
Ｐ２      第２接触点
【先行技術文献】
【特許文献】
【００７１】
【特許文献１】特開２００１−９９４７９号公報
【図１】
2017223414.tif 000003
【図２】
2017223414.tif 000004
【図３】
2017223414.tif 000005
【図４】
2017223414.tif 000006
【図５】
2017223414.tif 000007
【図６】
2017223414.tif 000008
【図７】
2017223414.tif 000009